(57)【要約】      （修正有）【課題】熱交換コイルを短時間で初期状態まで再生することができ、また、ファンコイルユニットの各構成部品の全てを一連的に洗浄可能なファンコイルユニットの洗浄方法を提供する。【解決手段】略球状に形成された微小の粒状体が混入する加圧エアーをファンコイルユニット構成部材の内外に吹き付け、付着する汚れを除去する。構成部材が熱交換コイルの場合は、熱交換コイルの水路出入口の一方の開口から粒状体が混入する加圧エアーを吹き込み、汚れを除去すると共にその除去された汚れと吹き付けた粒状体を他方の開口にセットした回収手段によって回収する。また、構成部材が熱交フィン、送風用のシロッコファンの場合は、粒状体が混入する加圧エアーを吹き付け、汚れを除去すると共にその除去された汚れと吹き付けた粒状体をファンコイルユニットの適宜の部位にセットしたバキュームクリーナーによって吸引する。【選択図】  図１
2004308987.tif 000002
【特許請求の範囲】
【請求項１】
冷温水空調設備等のファンコイルユニットの洗浄方法であって、略球状に形成された微小の粒状体が混入する加圧エアーをファンコイルユニット内のファンコイルユニット構成部材に作用させ、構成部材に付着堆積する汚れを除去することを特徴とするファンコイルユニットの洗浄方法
【請求項２】
前記構成部材が熱交換器の熱交換コイルであり、該熱交換コイルの水路出入口の一方の開口から粒状体が混入する加圧エアーを吹き込み、熱交換コイル内に付着堆積する汚れを除去すると共にその除去された汚れと吹き付けた粒状体を他方の開口にセットした回収手段によって回収することを特徴とする請求項１のファンコイルユニットの洗浄方法
【請求項３】
前記熱交換コイルの洗浄が、加圧エアーを吹き込む開口からエアーの全部または一部の進行方向を変向可能な変向部材を熱交換コイルの前段の水路内に挿入し、該変向部材を適宜に進退移動させながら行われることを特徴とする請求項２のファンコイルユニットの洗浄方法
【請求項４】
前記変向部材が略球状の球体であることを特徴とする請求項３のファンコイルユニットの洗浄方法
【請求項５】
前記熱交換コイルの洗浄が、少なくとも熱交換コイルの水路内を液体で充してから行われることを特徴とする請求項２のファンコイルユニットの洗浄方法
【請求項６】
前記構成部材が熱交換器の熱交フィンおよび／または送風用のモーターファンであり、熱交フィンおよび／またはモーターファンに粒状体が混入する加圧エアーを吹き付け、熱交フィンおよび／またはモーターファンに付着堆積する汚れを除去すると共にその除去された汚れと吹き付けた粒状体をファンコイルユニットの適宜の部位に直接的にまたは間接的にセットした吸引手段によって吸引することを特徴とする請求項１のファンコイルユニットの洗浄方法
【請求項７】
前記粒状体がセラミック素材から形成されていることを特徴とする請求項１のファンコイルユニットの洗浄方法
【請求項８】
粒状体が混入する加圧エアーを得る手段として、ブラスト装置およびエアーコンプレッサー装置を用いることを特徴とする請求項１のファンコイルユニットの洗浄方法
【発明の詳細な説明】
【０００１】
【産業上の利用分野】
本発明は、ファンコイルユニットの洗浄方法に関するものである。
【０００２】
【従来技術と問題点】
従来、建築物の冷温水空調設備や給排水給湯衛生設備等の配管設備は、建築後１０年以上経過すると、その配管内に錆やスケール（堆積物等）が発生して老朽化が進行して行く。そして、冷温水空調設備のファンコイルユニット（ＦＣＵ）も例外ではなく、錆やスケールの発生によって建築初期の性能が著しく阻害され、冷暖房効率が低下してしまうのである。
そのファンコイルユニットは、熱交換コイルおよび熱交フィンを備える熱交換器とモーターファンから構成されて適宜の制御によって動作するもので、床置型／天井内設置型／壁掛型等がある。
【０００３】
ファンコイルユニットの性能低下は、熱交換器の熱交換コイル内部に発生した錆やヘドロ化したスケールによるコイルの閉塞（冷温水の流量低下）、熱交フィンに付着堆積した空気中の塵埃等によるフィン目詰まり（風量低下）、モーターファン例えばシロッコファン等に付着堆積した空気中の塵埃等によるファン目詰まり（風量低下）によるものである。
そして、熱交換コイルのコイルの閉塞については薬品を用いた洗浄が行われているが、その洗浄には５〜６時間を要しているのである。しかし、再生はある程度しかできず、錆やヘドロの全てを取り除いて初期状態にすることは難しく、また、完全閉塞に近い状態のものは、薬品が循環しないため再生不可能なのである。さらには、薬品による環境汚染も心配されているのである。
【０００４】
また、熱交フィンのフィン目詰まりやモーターファンのファン目詰まりについては薬品洗浄／エア洗浄／水圧ジェット洗浄等が行われて再生されている。このようにファンコイルユニットの構成部材は洗浄されているが、熱交換コイルの洗浄に長時間を要すことからファンコイルユニットの構成部材の全ての洗浄には極めて長い時間が掛かり、また、構成部材の全てを同一の方法で一連的に行うことができないため、特に宿泊施設等に設置されているファンコイルユニットの洗浄は極めて手間の掛かる困難な作業となっているのである。
そして、上述の方法によって再生可能なファンコイルユニットは床置型／壁掛型等に限られており、天井内設置型すなわち天井裏に設置されたファンコイルユニットにおいては施工条件が極端に悪いため未だ手付かずの状態であり、このため、天井内設置型のファンコイルユニットは、熱効率が悪化した時点でファンコイルユニットを新品に交換しているのが現状である。
【０００５】
【目的】
本発明は上述した問題点に鑑みてなされたもので、熱交換コイルを短時間で初期状態まで再生することができ、また、ファンコイルユニットの各構成部品の全てを一連的に洗浄可能なファンコイルユニットの洗浄方法を提供することを目的とするものである。
【０００６】
【問題を解決するための手段】
本発明の要旨とするところは、冷温水空調設備等のファンコイルユニットの洗浄方法であって、略球状に形成された微小の粒状体が混入する加圧エアーをファンコイルユニット内のファンコイルユニット構成部材に作用させ、構成部材に付着堆積する汚れを除去することを特徴とするファンコイルユニットの洗浄方法である。
【０００７】
本発明のファンコイルユニットの洗浄方法を詳しく説明すると、ファンコイルユニットは、冷暖房空調設備において室内に設置される放熱器のことであり、室内温度を有効に熱交換させるものである。そのファンコイルユニットは、熱交換コイルおよび熱交フィンを備える熱交換器とモーターファンから構成されて適宜の制御によって動作する。
本発明は、このファンコイルユニットを構成している熱交換コイルおよび熱交フィンを備える熱交換器とモーターファンを洗浄するための方法である。
【０００８】
そして、略球状に形成された微小の粒状体とは、熱交換コイルの冷温水水路に堆積した錆やヘドロ等、熱交フィンやモーターファンに付着した空気中の塵埃等を取り除くためのものである。その略球状の形とは、真球は勿論のこと球状に近い形体を指すが、多面体の角部が滑らかに面取りされた形体や立方体の角部が大きく且つ滑らかに面取りされた形体も含められるものである。
粒状体の大きさも特に限定するものではなく、例えば、ブラストによる研磨で用いられるミクロンオーダー程度の大きさの粒子にしてもよい。また、粒状体を形成するための素材も特に限定するものではなく、適宜に汚れを除去できる素材であれば何でもよいが、望ましくはセラミック素材から形成するのがよい。
【０００９】
その粒状体が混入する加圧エアーとは、コンプレッサー装置等の加圧装置によって発生された適当な圧力を有するエアーである。その圧力も洗浄に適した圧力を適宜選定すればよい。
例えば、粒状体が熱交換コイルの冷温水水路内等を７０〜１４０ｍ／ｓｅｃで移動できる程度のエアー圧とすればよい。勿論、粒状体の大きさや素材によってこのエアー圧は適宜に変化する。
【００１０】
また、粒状体と加圧エアーとを混合する方法においても特に限定するものではなく、加圧エアーの流れによって粒状体が吸引されて混合するサクション方式や粒状体の収容器に加圧エアーを流入させて混合する直圧方式の混合装置等によって混合したり、適宜のブラスト装置等の混合装置を用いて行ってもよい。
【００１１】
そして、この粒状体が混入する加圧エアーをファンコイルユニット構成部材に作用させる。ここに、作用させるとは、例えば、該構成部材の中に加圧エアーを吹き込んだり、その外側に吹き付けることなどを意味し、それによって、構成部材に付着堆積する汚れを除去するのである。
構成部材が熱交換器の熱交換コイルである場合は、その熱交換コイルの水路出入口の一方の開口から粒状体が混入する加圧エアーを吹き込み、また、他方の開口に回収手段をセットし、除去された熱交換コイル内の汚れと吹き付けた粒状体を回収すればよい。回収手段とは、他方の開口から出てきたコイル内の汚れと吹き付けた粒状体を所定の容器等に案内するものであり、例えば、回収容器に接続されたホース等のものであってもよい。あるいは、他方の開口から出てきた汚れと粒状体を吸引手段によって強制的に吸引するようにしてもよい。
そして、前述の熱交換コイルは複数設けられることが多く、その場合、各コイルの水路の前段と後段にはその各コイルの水路に続く適宜の長さの水路が設けられていることが多い。
【００１２】
熱交換コイルへの加圧エアーの吹き込みにおいては、加圧エアーを吹き込む側の開口から、エアーの全部または一部の進行方向を変向可能な変向部材を各熱交換コイルの前段の水路内に挿入して、その変向部材を適宜に進退移動させながら加圧エアーを吹き込むようにしてもよい。
その変向部材の移動は、変向部材と適宜に接続されたピアノ線等の接続体を熱交換コイルの前段の水路の伸長方向に且つ熱交換コイルの各コイル水路口と同位置またはそれを超えて進退移動させるのがよい。また、変向部材の形状は、適宜に加圧エアーの進行方向を変えることができる形状であればよく特に限定するものではないが、具体的な形状としては略球状の球体がよい。そして、変向部材を移動させる接続体も適宜に変向部材を移動させることができるものであればよく上述のピアノ線に限定するものではない。
また、熱交換コイルへの加圧エアーの吹き込みにおいて、少なくとも各熱交換コイルの水路内を水等の液体で充してから行うようにしてもよい。
【００１３】
構成部材が熱交換器の熱交フィンおよび／または送風用のモーターファンである場合は、熱交フィンおよび／またはモーターファンに粒状体が混入する加圧エアーを吹き付け、また、ファンコイルユニットの適宜の部位に吸引手段をセットし、除去された熱交フィンおよび／またはモーターファンの汚れと吹き付けた粒状体を吸引するのがよい。
【００１４】
そして、加圧エアーは耐圧ホース等によって案内すればよい。また、先端に開閉弁を有するノズル等を設けてもよい。
耐圧ホースを熱交換コイルの水路出入口の開口へ接続する際は、ファンコイルユニットの適宜の部位から耐圧ホースをその内部に挿し入れて開口から外れないように接続する。その接続は密閉状態にするのがよい。
また、熱交フィンおよび／またはモーターファンに加圧エアーを吹き付ける際は、ファンコイルユニットの適宜の部位から耐圧ホースをその内部に挿し入れ、耐圧ホースや先端ノズルを直接操作または遠隔操作したり、熱交フィンおよび／またはモーターファンが洗浄可能な位置に耐圧ホースや先端ノズルを固定して行えばよい。ファンコイルユニット内への耐圧ホースの進入口は密閉してもよい。
【００１５】
吸引手段とは、除去された汚れを強制的に吸引可能に構成されたものであれば何でもよい。具体的には、負圧あるいはポンプ等によって吸引するように構成された筐体を有した装置等であり、その装置に、ファンコイルユニット内の汚れを吸引するための吸引ホースを設けて構成すればよい。
また、吸引装置および吸引ホースにおいては、バキューム装置を代用して用いてもよい。
【００１６】
そして、吸引手段に設けられている吸引ホース等のセットにおいては、ファンコイルユニットの適宜の部位に直接的にまたは間接的にセットする際、直接的にはファンコイルユニットに開口を設けてその開口に吸引ホースを接続したり、間接的には冷温風の室内への吹き出し口に吸引ホースを接続してもよい。この場合は、ホース先端に吹き出し口を覆う程度のアタッチメント口を取り付ける等して吹き出し口と密閉状態に接続するのがよい。
【００１７】
【作用】
本発明のファンコイルユニットの洗浄方法は以上のように構成されているので、
ファンコイルユニット内の熱交換器の熱交換コイルの冷温水水路に付着堆積した錆やヘドロ、熱交換器の熱交フィンやモーターファンに付着堆積した空気中の塵埃を一つの方法によって除去することができる。
従って、熱交換器の熱交換コイルの冷温水水路に堆積した錆またヘドロの除去は、先ずファンコイルユニット内の熱交換器の熱交換コイルの水路出入口の一方の開口に加圧エアーのホース先端口を接続すると共に他方の開口に回収手段をセットする。
【００１８】
次に、加圧エアーを吹き込むことにより、熱交換コイルの各水路に加圧エアーと共に粒状体が流れ、この粒状体によって水路に付着堆積した錆やヘドロを粒状体が掻き取られる。そして、掻き取られた錆やヘドロと共に粒状体はエアーによって押し流され、回収手段がセットされている開口に運ばれその開口から回収手段によって容器等に回収される。
そして、粒状体が略球状であるため、熱交換コイルの曲部で管内壁に衝突してもスムースにその進行方向を変えることができる。
【００１９】
熱交換コイルの洗浄において、加圧エアーを吹き込む開口から各熱交換コイルの前段の水路内に変向部材を挿入し、その変向部材を適宜に進退移動させながら行うものは、吹き込まれたエアーと共に粒状体がその変向部材に当たることによってエアーと共に粒状体の進行方向が強制的に変えられて熱交換コイルの各回路の水路へ進入する。
さらに、各熱交換コイルの水路を含めた水路内を液体で充してから行うものは、吹き込まれたエアーと共に粒状体が水路内の液体の抵抗と液体との衝突の衝撃によって熱交換コイルの各回路の水路へ分散して進入する。
【００２０】
そして、熱交フィンやモーターファンに付着堆積した空気中の塵埃の除去は、先ずファンコイルユニット内に加圧エアーのホース先端口を適宜に挿入し、吸引手段の吸引ホースの先端口をファンコイルユニットに設けた開口や冷温風の室内への吹き出し口に接続する。
次に、加圧エアーを吹き付けることによって、粒状体が熱交フィンやモーターファンに付着堆積した空気中の塵埃が掻き取られる。そして、その掻き取られた汚れはエアーによって押し流されると共に吸引手段によって吸引ホースの接続部から吸引される。
【００２１】
【実施例】
本発明のファンコイルユニットの洗浄方法を以下図面に従って説明すると、図１は、ファンコイルユニット洗浄方法の概略図であり、本図は、ファンコイルユニットの構成部材である熱交換器の熱交換コイルの洗浄を示す図であり、また、洗浄に使用する略球状に形成した微小の粒状体を加圧エアーに混入するための方法としてブラストマシンを使用し、加圧エアーはエアコンプレッサーによって供給するものである。
【００２２】
１は天井８内に設置されているファンコイルユニット、２はファンコイルユニット１の一構成部材である熱交換器、３はファンコイルユニット１の一構成部材であるシロッコファンである。４はブラストマシン、４１は粒状体と加圧エアーが流れるブラストホース、４２はマシン操作用のリモコン、５は加圧エアーを発生するエアコンプレッサー、５１はエアー供給用のエアホース、６は洗浄された熱交換器２の熱交換コイル２１内の汚れと粒状体を回収する回収タンク、６１は回収ホースである。８は天井、８１は天井点検口である。
【００２３】
従って、加圧エアーはエアコンプレッサー５で発生されてエアホース５１によってブラストマシン４に送られ、ブラストマシン４で加圧エアーに粒状体が混合され、それがブラストホース４１によってファンコイルユニット１の熱交換器２に送られ、熱交換器２の熱交換コイル２１を通過しながら粒状体が堆積した錆やヘドロ等の汚れを掻き取る。そして、その掻き取られた汚れと粒状体は回収ホース６１を通過して回収タンク６に収容される。
【００２４】
図２は、熱交換器内部の図であり、本図は、熱交換コイルの洗浄において、加圧エアーを吹き込む開口から水路内に変向部材を挿入し、その変向部材を適宜に進退移動させながら行うものである。
２はファンコイルユニット１の一構成部材である熱交換器、２１は熱交換器２内に配設された熱交換コイル、２２は冷温水の入口、２３は熱交換コイル２１を通過した冷温水の出口、２４は冷温水の水路、２５は熱交換コイル２１と接触状態に設けられている熱交換フィンである。
２６は粒状体の進路を強制的に変えるための変向ボール、２７は変向ボール２６を進退移動させるためのピアノ線であり、加圧エアーと共に吹き込まれた粒状体は、変向ボール２６の球状面に衝突することでその進行方向が適宜に曲げられ、熱交換コイル２１に向って進行しその水路２４を進行して出口２３に向かう。
【００２５】
図３は、熱交換器内部の図であり、本図は、熱交換コイルの洗浄において、水路内を液体で充してから行うものである。
２はファンコイルユニット１の一構成部材である熱交換器、２１は熱交換器２内に配設された熱交換コイル、２２は冷温水の入口、２３は熱交換コイル２１を通過した冷温水の出口、２４は冷温水の水路、２５は熱交換コイル２１と接触状態に設けられている熱交換フィンである。
２８は水路２４に充たした水であり、加圧エアーと共に吹き込まれた粒状体は水２８の抵抗と水２８に衝突した衝撃によって熱交換コイル２１に向って分散且つ進行しその水路２４を進行して出口２３に向かう。
【００２６】
図４は、ファンコイルユニット洗浄方法の概略図であり、本図は、ファンコイルユニットの構成部材である熱交換器の熱交フィンとシロッコファンの洗浄を示す図であり、また、洗浄に使用する略球状に形成した微小の粒状体を加圧エアーに混入するための方法としてブラストマシンを使用し、加圧エアーはエアコンプレッサーによって供給し、汚れや粒状体の吸引手段としてをバキューム装置を用いたものである。
【００２７】
１は天井８内に設置されているファンコイルユニット、１１は既存のまたは新規に設けた点検口、１２は送風用のダクト、１３は冷温風の室内吹出口、２はファンコイルユニット１の一構成部材である熱交換器で、２５は熱交フィン、３はファンコイルユニット１の一構成部材であるシロッコファンで、３１は送風用のファンである。４はブラストマシン、４１は粒状体と加圧エアーが流れるブラストホース、４２はマシン操作用のリモコン、４３は粒状体が混入したエアーが吹き出すノズル、５は加圧エアーを発生するエアコンプレッサー、５１はエアー供給用のエアホース、７は洗浄された熱交フィン２５とファン３１の汚れと粒状体を吸引するバキュームクリーナー、７１は吸引ホース、７２は室内吹出口１３に取り付けた集塵ホッパーである。８は天井、８１は天井点検口である。
【００２８】
従って、加圧エアーはエアコンプレッサー５で発生されてエアホース５１によってブラストマシン４に送られ、ブラストマシン４で加圧エアーに粒状体が混合され、それがブラストホース４１によって送られると共にノズル４３から吹き出し、熱交フィン２５とファン３１の汚れが作業者のノズル４３操作によって掻き取られる。そして、その掻き取られた汚れと粒状体は、送風用のダクト１２を通り冷温風の室内吹出口１３から集塵ホッパーを介し吸引ホース７１を通過してバキュームクリーナー７に吸引される。
【００２９】
図５は、熱交換器の側面図と熱交換コイルの断面斜視図であり、本図は、熱交換器の熱交換コイルへの錆やヘドロ等の付着堆積状態を示すもので、上の図が熱交換器の側面図、下の図が熱交換コイルの断面斜視図である。
２は熱交換器、２１は熱交換コイル、２２は冷温水の入口、２３は冷温水の出口、２４は水路である。９は堆積物であり、水路２４の入口／出口／内部そして冷温水の入口２２／出口２３に付着堆積して、温水ボイラあるいは冷凍機からの冷温水の流水量を低下させる。
【００３０】
図６は、熱交換器の正面図であり、本図は、熱交フィンへの空気中の塵埃等の付着堆積状態を示すものである。
２は熱交換器、２１は熱交換コイル、２５は熱交フィンである。１０は付着物であり、熱交フィン２５の表面を覆うと共に熱交換コイル２１をも覆い隠すように付着堆積し、シロッコファンからの風の通過量と共に熱交換量を低下させる。
【００３１】
図７は、シロッコファンの斜視図であり、本図は、シロッコファンへの空気中の塵埃等の付着堆積状態を示すものである。
３はシロッコファン、３１は送風用のファン、３２は風を発生させるためのブレード、３３は風出口である。１０は付着物であり、ファン３１の表面と共にブレード３２の表面に付着堆積し、外部からの空気の供給を妨げて風の発生量を低下させる。
図８は、ファンコイルユニットが配設される冷温水循環式冷暖房システム系統図を示すものである。図中のＦＣＵと表記されたものがファンコイルユニットである。
【００３２】
【効果】
本発明のファンコイルユニットの洗浄方法は以上のように構成されているので、ファンコイルユニットの心臓部である熱交換器の内部すなわち熱交換コイルの水路に付着堆積した錆びやヘドロを短時間で初期状態まで再生することができ、さらには、従来では再生不可能であった水路の閉塞も再生することができる。また、洗浄に用いられる粒状体も、水路の折曲部を破壊することなく水路内を流れるので、熱交換コイルにもダメージを与えることがない。
【００３３】
そして、熱交換器の熱交フィンやモーターファンに付いた汚れも、熱交換コイルの洗浄に用いた粒状体を用いて行うことができるので、ファンコイルユニットを構成する各構成部品の全てを一連的に洗浄することができる。また、従来では手付かずであった天井内設置型のファンコイルユニットには特に適する方法であり、使い捨てされていた天井内設置型のファンコイルユニットの再生ができる。
従って、本発明の洗浄方法を用いることによって、産業廃棄物の低減による環境保護、性能回復によるエネルギー使用量の低減ができ、また、宿泊施設等においては客室を締切ることなくファンコイルユニットをリフォームすることができる極めて優れた方法である。
【図面の簡単な説明】
【図１】ファンコイルユニット洗浄方法の概略図
【図２】熱交換器内部の図
【図３】熱交換器内部の図
【図４】ファンコイルユニット洗浄方法の概略図
【図５】熱交換器の側面図と熱交換コイルの断面斜視図
【図６】熱交換器の正面図
【図７】シロッコファンの斜視図
【図８】冷温水循環式冷暖房システム系統図
【符号の説明】
１−ファンコイルユニット，１１−点検口，１２−ダクト，１３−室内吹出口，２−熱交換器，２１−熱交換コイル，２２−入口，２３−出口，２４−水路，２５−熱交フィン，２６−変向ボール，２７−ピアノ線，２８−水，３−シロッコファン，３１−ファン，３２−ブレード，３３−風出口，４−ブラストマシン，４１−ブラストホース，４２−リモコン，４３−ノズル，５−エアコンプレッサー，５１−エアホース，６−回収タンク，６１−回収ホース，７−バキュームクリーナー，７１−吸引ホース，７２−集塵ホッパー，８−天井，８１−天井点検口，９−堆積物，１０−付着物
【図１】
2004308987.tif 000003
【図２】
2004308987.tif 000004
【図３】
2004308987.tif 000005
【図４】
2004308987.tif 000006
【図５】
2004308987.tif 000007
【図６】
2004308987.tif 000008
【図７】
2004308987.tif 000009
【図８】
2004308987.tif 000010